(57)【要約】【課題】梯子を降りるときに、その避難者の回りを包囲したり、目隠しして、避難者の恐怖心を小さくし、緊急に避難できるようにし、さらに通常時においては使用できず、火災等の避難時だけに使用できるようにした避難用梯子装置を提供する。【解決手段】建築物に備えられているベランダＶの側方の壁面Ｗに、最上階から最下階にかけて避難者の通過空間Ｓを有する組枠１を設置し、この組枠１内に梯子２を垂設すると共に、この梯子２の近辺にレール３を垂設し、このレール３に避難者の腰部への安全装着具４を摺動自在として取り付けられるようにし、さらに前記組枠１の最上階から二階の各階のベランダＶ側および最下階の前側に、それぞれ開閉ドア５を設けたものとしている。【選択図】 図１
0003156012.tif 000002
【実用新案登録請求の範囲】
【請求項１】
建築物に備えられているベランダ（Ｖ）の側方の壁面（Ｗ）に、最上階から最下階にかけて避難者の通過空間（Ｓ）を有する組枠（１）を設置し、この組枠（１）内に梯子（２）を垂設すると共に、この梯子（２）の近辺にレール（３）を垂設し、このレール（３）に避難者の腰部への安全装着具（４）を摺動自在として取り付けられるようにし、さらに前記組枠（１）の最上階から二階の各階のベランダＶ側および最下階の前側に、それぞれ開閉ドア（５）を設けたことを特徴とする避難用梯子装置。
【請求項２】
前記組枠（１）を後枠体（１ａ）、両側枠体（１ｂ、１ｃ）、前枠体（１ｄ）に分解できるように構成したことを特徴とする請求項１記載の避難用梯子装置。
【請求項３】
建築物に備えられているベランダ（Ｖ）の側方の壁面（Ｗ）に、最上階から最下階にかけて避難者の通過空間（Ｓ）を有する組枠（１）を設置し、この組枠（１）は、後枠体（１ａ）、側枠体（１ｂ、１ｃ）、前枠体（１ｄ）に分解できるように構成したものとし、前記組枠（１）内の後枠体（１ａ）に梯子（２）を垂設すると共に、この梯子（２）の前方にレール（３）を垂設し、このレール（３）に避難者の腰部への安全装着具（４）を摺動自在として取り付けられるようにし、さらに前記組枠（１）の最上階から二階の各階のベランダ（Ｖ）側の側枠体（１ｂ）および最下階の前枠体（１ｄ）に、それぞれ開閉ドア（５）を設けたことを特徴とする避難用梯子装置。
【請求項４】
前記組枠（１）のベランダ（Ｖ）の反対側を目隠板（８）で遮蔽したことを特徴とする請求項１〜３の何れかに記載の避難用梯子装置。
【請求項５】
前記開閉ドア（５）に鍵をかけることができるようにしたことを特徴とする請求項１〜４の何れかに記載の避難用梯子装置。
【請求項６】
前記開閉ドア（５）の子供の手が届かない高所に、ドアノブ７を設けたことを特徴とする請求項１〜４の何れかに記載の避難用梯子装置。
【請求項７】
前記安全装着具（４）を、避難者の腰部に装着する装着ベルト（１２）、レール（３）に摺動自在として取り付ける挟持体（１３）、および装着ベルト（１２）と挟持体（１３）とを連結する連結ベルト（１４）からなるものとしたことを特徴とする請求項１〜６の何れかに記載の避難用梯子装置。
【考案の詳細な説明】
【技術分野】
【０００１】
この考案は、ベランダを備えた既設または新設の集合住宅や事務所ビル等の建築物に設置され、火災等の避難時に使用される避難用梯子装置に関するものである。
【背景技術】
【０００２】
従来、この種の避難用梯子装置は、例えば図１６に示したように、梯子縦杆２１に横桟２２を垂直回転自在に連結して形成され、梯子縦杆２１から横桟２２に沿って張り出す庇部２３により縦姿勢の横桟２２をほぼ目隠し可能で、前記庇部２３を貫通するストッパ部材２４を横桟２２に係止させることにより収納状態を維持して構成したものが存在する（特許文献１）。
【０００３】
このように構成された避難用梯子装置は、収納や展開のための機構が単純で、取り扱いや製造が容易で、高所への行き来の利便性を高めることができるとしている。
【０００４】
さらに、この種の避難用梯子装置は、例えば図１７に示したように、左右の支柱３１、３２間に複数の踏桟３３を配置し、両方の支柱３１、３２に踏桟３３両端を上下方向に回動自在に連結して梯子本体３４を構成し、一方の支柱３１を起伏支持杆３５を介して壁面Ａに対し接離動自在に連結し、他方の支柱３２と壁面Ａ間に、梯子本体３４が展開して支柱３２を固定する固定手段３６を設けたものが存在する（特許文献２）。
【０００５】
このように構成された避難用梯子装置は、非常時に使用する時は、壁にしっかり固定された状態で壁との間に所定の隙間を形成し、汎用の梯子同様に使用でき、不使用時には、形態を縮小して壁面に添接状態で格納できて邪魔にならない取り扱いに便利なものとなるとしている。
【先行技術文献】
【特許文献】
【０００６】
【特許文献１】特開２００７−４６３６６号公報
【特許文献２】特開２００３−１４８０７５号公報
【考案の概要】
【考案が解決しようとする課題】
【０００７】
しかしながら、従来の避難用梯子装置は、集合住宅や事務所ビル等の高所からの避難には、避難中における落下防止等の安全対策がなく危険であるという課題を有していた。
【０００８】
また、従来の避難用梯子装置は、火災等の避難時に梯子を降りるときに、その避難者の回りが包囲されていなかったり、目隠しされていないため、人によっては恐怖感が大きく、緊急に避難するのに支障を来すという課題を有していた。
【０００９】
さらに、従来の避難用梯子装置は、火災等の避難時だけではなく、通常時においても昇り降りできるため、子供が悪戯をして危険であったり、防犯上好ましくないという課題を有していた。
【００１０】
そこで、この考案は、避難中における落下防止等の安全対策を完備し、梯子を降りるときに、その避難者の回りを包囲したり、目隠しして、避難者の恐怖心を小さくし、緊急に避難できるようにし、さらに通常時においては使用できず、火災等の避難時だけに使用できるようにした避難用梯子装置を提供することを目的としてなされたものである。
【課題を解決するための手段】
【００１１】
この考案の避難用梯子装置は、建築物に備えられているベランダＶの側方の壁面Ｗに、最上階から最下階にかけて避難者の通過空間Ｓを有する組枠１を設置し、この組枠１内に梯子２を垂設すると共に、この梯子２の近辺にレール３を垂設し、このレール３に避難者の腰部への安全装着具４を摺動自在として取り付けられるようにし、さらに前記組枠１の最上階から二階の各階のベランダＶ側および最下階の前側に、それぞれ開閉ドア５を設けたものとしている。
【００１２】
さらに、この考案の避難用梯子装置は、前記組枠１を後枠体１ａ、両側枠体１ｂ、１ｃ、前枠体１ｄに分解できるように構成したものとしている。
【００１３】
そして、この考案の避難用梯子装置は、建築物に備えられているベランダＶの側方の壁面Ｗに、最上階から最下階にかけて避難者の通過空間Ｓを有する組枠１を設置し、この組枠１は、後枠体１ａ、側枠体１ｂ、１ｃ、前枠体１ｄに分解できるように構成したものとし、前記組枠１内の後枠体１ａに梯子２を垂設すると共に、この梯子２の前方にレール３を垂設し、このレール３に避難者の腰部への安全装着具４を摺動自在として取り付けられるようにし、さらに前記組枠１の最上階から二階の各階のベランダＶ側の側枠体１ｂおよび最下階の前枠体１ｄに、それぞれ開閉ドア５を設けたものとしている。
【００１４】
さらに、この考案の避難用梯子装置は、前記組枠１のベランダＶの反対側を目隠板８で遮蔽したものとしている。
【００１５】
また、この考案の避難用梯子装置は、前記開閉ドア５に鍵をかけることができるようにしている。
【００１６】
さらに、この考案の避難用梯子装置は、前記開閉ドア５の子供の手が届かない高所に、ドアノブ７を設けたものとしている。
【００１７】
また  この考案の避難用梯子装置は、前記安全装着具４を、避難者の腰部に装着する装着ベルト１２、レール３に摺動自在として取り付ける挟持体１３、および装着ベルト１２と挟持体１３とを連結する連結ベルト１４からなるものとしている。
【考案の効果】
【００１８】
この考案の避難用梯子装置は、以上に述べたように構成されているので、梯子を降りるときに、避難者の恐怖心が小さくなり、安全に緊急避難できるものとなった。
【００１９】
さらに、この考案の避難用梯子装置は、通常時には使用できず、火災等の避難時だけ使用できるようにしたので、子供にとって危険なものとはならず、防犯上も好ましいものとなった。
【図面の簡単な説明】
【００２０】
【図１】この考案の避難用梯子装置を建築物に設置した状態を示す斜視図である。
【図２】この考案の避難用梯子装置の建築物に設置した各階分を示す斜視図である。
【図３】この考案の避難用梯子装置の組枠の後枠体の正面図である。
【図４】この考案の避難用梯子装置の組枠のベランダ側の側枠体の正面図である。
【図５】この考案の避難用梯子装置の組枠のベランダの反対側の側枠体の正面図である。
【図６】この考案の避難用梯子装置の組枠の二階部分以上の前枠体の正面図である。
【図７】この考案の避難用梯子装置の組枠の一階部分の前枠体の正面図である。
【図８】この考案の避難用梯子装置の上下階の組枠を切り離した状態を示す斜視図である。
【図９】この考案の避難用梯子装置の梯子の連結構造を示す説明図である。
【図１０】この考案の避難用梯子装置のレールの連結構造を示す説明図である。
【図１１】この考案の避難用梯子装置の安全装着具の斜視図である。
【図１２】この考案の避難用梯子装置の安全装着具のレールへの取り付け操作を示す説明図である。
【図１３】この考案の避難用梯子装置を建築物の壁面に設置した状態を示す平面図である。
【図１４】この考案の避難用梯子装置の図１３中のａ部分の拡大図である。
【図１５】この考案の避難用梯子装置の図１３中のｂ部分の拡大図である。
【図１６】従来の避難用梯子装置の一例を示す斜視図である。
【図１７】従来の避難用梯子装置の他の例を示す斜視図である。
【考案を実施するための形態】
【００２１】
以下、この考案の避難用梯子装置を実施するための形態を、図面に基づいて詳細に説明する。
【００２２】
この考案の避難用梯子装置は、図１、２に示したように、建築物に備えられているベランダＶの側方の壁面Ｗに、最上階から最下階にかけて避難者の通過空間Ｓを有する組枠１を設置し、この組枠１内に梯子２を垂設すると共に、この梯子２の近辺にレール３を垂設し、このレール３に避難者の腰部への安全装着具４を摺動自在として取り付けられるようにし、さらに前記組枠１の最上階から二階の各階のベランダＶ側および最下階の前側に、それぞれ開閉ドア５を取り付けた出入口６を設けたものとしている。
【００２３】
組枠１は、図３〜７に示したように、ベランダＶの側方の壁面Ｗ側になる後枠体１ａ、各階のベランダＶ側になる側枠体１ｂ、各階のベランダＶの反対側になる側枠体１ｃ、この組枠１の前側になる前枠体１ｄに分解できるように構成されている。そして、この組枠１は、ベランダＶの側方の壁面Ｗに設置するときに、後枠体１ａ、側枠体１ｂ、１ｃ、前枠体１ｄを、避難者の通過空間Ｓを有するようにして、四角枠状に組み立てるものとしている。
【００２４】
組枠１の側枠体１ｂは、図４に示したように、最上階からニ階の各階のベランダＶ側のものには、それぞれに開閉ドア５を取り付けた出入口６を設けたものとしている。この開閉ドア５は、通常時には閉鎖しておき、火災等の避難時だけ開放するようにしている。そのため、この開閉ドア５は、通常時に子供が悪戯で開閉しないようにしたり、防犯上、ベランダＶ側から鍵をかけることができるようにしたり、子供が悪戯で開閉しないだけのために、子供の手が届かない高所にドアノブ７を設けたものにしておくことができる。
【００２５】
さらに、組枠１の側枠体１ｃは、図５に示したように、最上階から最下階の各階のベランダＶの反対側のものには、それぞれ目隠板８を設けたものとしている。この目隠板８は、ベランダＶの反対側を遮蔽し、高所からの避難時に遭難者の恐怖心をなくすためのものである。
【００２６】
組枠１の前枠体１ｄは、図６に示したように、最上階からニ階の各階のものには、それぞれ縦桟９ａ、横桟９ｂを設けたものとしているが、図７に示したように、最下階のものには、開閉ドア５を取り付けた出入口６を設けたものとしている。この開閉ドア５も、前記組枠１の側枠体１ｂのものと同様、通常時には閉鎖しておき、火災等の避難時だけ開放するようにしている。そのため、この開閉ドア５も、通常時に子供が悪戯で開閉しないようにしたり、防犯上、鍵をかけることができるようにしたり、子供が悪戯で開閉しないだけのために、子供の手が届かない高所にドアノブ７を設けたものにしておくことができる。さらに、前記組枠１の前枠体１ｄの開閉ドア５の上部は、防犯上、閉鎖板１０で閉鎖しておくようにしている。
【００２７】
梯子２は、左右の支柱２ａ、２ａの間に適宜間隔をおいて複数の踏桟２ｂを配置したものとしており、図９に示したように、各階において連結体１１を用いるなどして連結できるものとしており、最上階から最下階にかけて、前記組枠１内の後枠体１ａに垂設したものとしている。
【００２８】
レール３は、管体３ａの上端に連結体３ｂを固着したものとしており、図１０に示したように、各階において連結できるものとしており、最上階から最下階にかけて、前記梯子２の前方に垂設したものとしている。
【００２９】
安全装着具４は、図１１に示したように、避難者の腰部に装着する装着ベルト１２、レール３に摺動自在として取り付ける挟持体１３、および装着ベルト１２と挟持体１３とを連結する連結ベルト１４からなる。そして、この装着用安全具４は、図１２に示したように、避難者が挟持体１３の操作部１３ａを操作して、挟持体１３の開閉体１３ｂを開閉操作することにより、レール３に摺動自在として取り付けられるようにしている。なお、この安全装着具４は、普段からレール３に取り付けた状態にしておいても、前記組枠１の適宜個所に設けたフック（図示せず）や開閉ドア５のドアノブ７などに引っ掛けておいたりしてもよい。
【００３０】
さらに、この考案の避難用梯子装置は、図１３に示したように、建築物の各階においてベランダＶが複数、離れて並設されている場合には、最端部のベランダＶの側方の壁面Ｗと、中間部のベランダＶどうしの間の壁面Ｗに設置される。
【００３１】
この場合、最端部のベランダＶの側方の壁面Ｗに設置される避難用梯子装置は、図１４に示したように、前記した避難用梯子装置とまったく同様の構成としているが、中間部のベランダＶどうしの間の壁面Ｗに設置される避難用梯子装置は、図１５に示したように、前記した避難用梯子装置とは一部、異なった構成としている。
【００３２】
すなわち、中間部のベランダＶどうしの間の壁面Ｗに設置される避難用梯子装置は、図１５に示したように、組枠１の両側ともがベランダＶ側になるので、ベランダＶの反対側になる側枠体１ｃが存在しないことになる。したがって、組枠１の両側ともに、前記したベランダＶ側の側枠体１ｂにしたものとしている。
【００３３】
以上のように構成されたこの考案の避難用梯子装置は、組枠１や目隠板８を備えたことにより、梯子２を降りるときに、その避難者の回りを包囲したり、目隠しして、避難者の恐怖心を小さくし、緊急に避難ができるものとなる。
【００３４】
さらに、この考案の避難用梯子装置は、前記組枠１や目隠板８に加えて、安全装着具４を備えたことにより、避難中における落下防止等の安全対策を完備したものとなり、火災等の避難時に、その安全装着具４の装着ベルト１１を避難者の腰部に装着して、梯子２を降下すれば、避難者が落下することなく、安全に避難することができるものとなる。
【００３５】
また、この考案の避難用梯子装置は、前記組枠１に開閉ドア５を備えることにより、通常時においては使用できず、火災等の避難時だけに使用できるようにしたので、子供等にとって危険なものとはならず、防犯上も好ましいものとなる。
【符号の説明】
【００３６】
１  組枠
１ａ  後枠体
１ｂ  側枠体
１ｃ  側枠体
１ｄ  前枠体
２  梯子
３  レール
４  安全装着具
８  目隠板
１２  装着ベルト
１３  挟持体
１４  連結ベルト
Ｖ  ベランダ
Ｗ  壁面
Ｓ  通過空間
【図１】
0003156012.tif 000003
【図２】
0003156012.tif 000004
【図３】
0003156012.tif 000005
【図４】
0003156012.tif 000006
【図５】
0003156012.tif 000007
【図６】
0003156012.tif 000008
【図７】
0003156012.tif 000009
【図８】
0003156012.tif 000010
【図９】
0003156012.tif 000011
【図１０】
0003156012.tif 000012
【図１１】
0003156012.tif 000013
【図１２】
0003156012.tif 000014
【図１３】
0003156012.tif 000015
【図１４】
0003156012.tif 000016
【図１５】
0003156012.tif 000017
【図１６】
0003156012.tif 000018
【図１７】
0003156012.tif 000019